(57)【要約】本発明は幻像発生装置に関する。この装置は少なくとも１枚の鏡を含んでおり、鏡の前方には直接的及び鏡内で間接的に見ることが可能な人形等の物体が置かれている。その鏡は装置の軸周囲を回転できる。装置の使用時に、その物体は鏡の前方にて装置の軸周囲で連続的な通路に沿って移動する。通路進行中に物体は自転するが、その自転速度は通路進行速度に対応している。
2005503587.tif 000002
【特許請求の範囲】
【請求項１】
幻像発生装置であって、少なくとも１枚の鏡を含んでおり、鏡の前方には直接的及び鏡面で間接的に見ることが可能な物体を配置しており、該鏡は本装置の軸周囲を回転でき、本装置の使用時に前記物体は前記鏡の前方にて本装置軸周囲で連続的な通路に沿って移動するものであり、
前記通路を進行中に前記物体は該通路の進行速度に対応した速度で自転することを特徴とする装置。
【請求項２】
物体は回転板上に搭載され、本装置の軸周囲で回転する基礎台上に鏡と共に位置不変状態で配置されることを特徴とする請求項１記載の装置。
【請求項３】
回転板には駆動装置が本装置軸と連動するように提供され、該駆動装置は該回転板の通路進行速度に対応するものであることを特徴とする請求項１または２に記載の装置。
【請求項４】
本装置軸には恒星円盤が装着され、回転板は該恒星円盤周囲を移動し、該恒星円盤と連動作用する惑星円盤と連動しており、該惑星円盤の自転速度を決定することを特徴とする請求項１から３のいずれかに記載の装置。
【請求項５】
恒星円盤と惑星円盤には連動歯車が提供されていることを特徴とする請求項４記載の装置。
【請求項６】
恒星円盤と惑星円盤は同一径であることを特徴とする請求項４または５に記載の装置。
【請求項７】
駆動装置は回転板及び本装置軸と連動する駆動ベルトとして提供されることを特徴とする請求項１から６のいずれかに記載の装置。
【請求項８】
複数の鏡が提供され、それぞれ閉鎖多面体の面を提供しており、それぞれの鏡面の前方にそれぞれ物体が配置され、それぞれの物体は本装置軸周囲の該物体進行速度に応じた速度で自転することを特徴とする請求項１から７のいずれかに記載の装置。
【発明の詳細な説明】
【利用分野】
【０００１】
本発明は幻像発生装置に関する。
【背景技術】
【０００２】
この装置は少なくとも１枚の鏡を含んでおり、鏡の前方には直接的及び鏡面で間接的に見ることが可能な人形等の物体が置かれている。その鏡は装置の軸周囲を回転できる。装置の使用時に、その物体は鏡の前方にて装置の軸周囲で連続的な通路に沿って移動する。
【０００３】
類似装置は以前にも提案されており、商品名"AMAZING PRAXINOSCOPE KIT"として市販されてもいる。
【０００４】
この市販装置は複数の物体が置かれる固定板を含んでいる。それぞれの物体は個々の鏡の前方に配置される。全鏡面は装置の点対象軸周囲で多面体を形成する。鏡面前方に置かれた物体は直接的及び鏡面を介して間接的に見られる。この装置は全体として回転することもできる。
【発明の開示】
【発明が解決しようとする課題】
【０００５】
本発明の１目的は特殊効果を提供する幻像発生装置の提供である。
【課題を解決するための手段】
【０００６】
本発明の装置は次の特徴を有する。物体は装置軸周囲の通路を移動する際に自身の軸周囲を通路移動速度に見合った速度で自転する。それぞれの物体は通路の進行と自転との組合せで運動するが、物体の鏡像は静止しているように見えるという驚くべき効果を提供する。一方、物体の回転速度を適当に選択することで鏡像を静止状態ではなく、物体の実際の回転速度以上あるいは以下で回転しているように見せることも可能である。
【０００７】
本発明の装置の前述の驚くような効果は次の実施態様で実現できる。物体は回転板上で、少なくとも１枚の鏡と共に装置の軸周囲を回転できる基台上あるいは基台内に位置不変的に配置される。一方、回転板と物体を一体化させることも可能である。望む効果を達成するため、装置軸と連動させた状態で回転板に駆動装置を取り付け、駆動装置を通路の進行速度に対応させることもできる。
【０００８】
物体を搭載した回転板を駆動する種々な方法が存在する。
【０００９】
装置の１好適実施態様においては、装置軸に恒星円盤を設置し、回転板を恒星円盤周囲を移動できる惑星円盤と連動させ、恒星円盤と相互作用させて惑星円盤の回転速度を決定させている。
【００１０】
装置軸周囲の通路に存在する物体の位置に応じて物体に与えられる位置固定回転連動性を提供するため、恒星円盤と惑星円盤に相互連動歯車を設置することが望ましい。
【００１１】
前述したように、装置軸周囲での進行速度との関係に影響を及ぼさずに物体の回転速度を変動させることは可能である。しかし、本発明の１特徴においては、恒星円盤と惑星円盤は同一径を有している。そのため、前述の驚くべき効果である静止鏡像が提供される。
【００１２】
前述のごとく、物体を回転移動させる駆動装置は種々の形態で提供できる。別好適実施例においては、そのような駆動装置は回転板及び装置軸と連動する駆動ベルトで提供される。
【００１３】
別好適実施例においては複数枚の鏡が使用される。それぞれの鏡は閉鎖多面体の表面を提供し、それぞれの鏡の前方に物体が配置される。それぞれの物体は自転軸周囲を装置軸周囲の移動速度に対応した速度で自転する。このように固定観察点から見たとき、実際には移動している物体の鏡像が不動に存在するように錯覚させることができる。複数の物体を連続的にそれぞれ多少異なる姿勢で提供すると、固定観察点から見たとき鏡像は流れるような移動や変化を見せる。
【発明を実施するための最良の形態】
【００１４】
以下において、本発明を例示的実施例を基にして添付図面を利用しながら説明する。
【００１５】
図１は本発明の幻像発生装置１を示す。装置１は中心軸２を有している。中心軸２の周囲には複数の鏡面３が点対称多面体を提供している。
【００１６】
第１実施例においては、恒星円盤４が鏡面体３の下方に設置されている。この恒星円盤４には基台６上に搭載された複数の惑星円盤５が連動している。鏡面３も基台６上に配置される。それぞれの惑星円盤５は対応する鏡面３の前方に位置不変状態で設置される。基台６の回転によって惑星円盤５は恒星円盤４の周囲をゆっくりと移動し、自身の回転軸周囲を自転する。それぞれの惑星円盤５上には人形等の物体７が搭載される。本例の場合には"ラッキー・ルーク"カウボーイであり、自身の影よりも速く射撃することができるヒーロ像である。この構造で物体７は恒星円盤４周囲の惑星円盤５の進行中に自転する。
【００１７】
図１の場合、惑星円盤５は恒星円盤４と同一径を有している。その結果、物体７の鏡面３上の鏡像は静止状態で観察される。
【００１８】
図２は恒星円盤４と惑星円盤５との間の連動状態を示す別実施例である。この連動は駆動ベルト１２で提供される。鎖駆動、紐駆動、油圧駆動、電動駆動等も可能である。数センチから数メートルの範囲で変動する装置の規模によって適当な連動駆動手段が選択される。
【００１９】
図３は本発明による手動装置を示す。基台６と鏡面３は装置１の上方に設置された回転制御装置８で回転させることができる。
【００２０】
図４は電池１０による電気モータ９を利用した電動式装置を示す。基台６はモータ９の駆動軸１１で鏡面３と連動されている。
【００２１】
以上の実施例に変更を施すことは可能である。よって、それら実施例は本発明の範囲を限定しない。
【図面の簡単な説明】
【００２２】
【図１】図１は本発明の１実施例による装置を概略的に示す。
【図２】図２は本発明の別実施例おける駆動装置を示す底面図である。
【図３】図３は惑星円盤及び歯車の連動回転システムを有した本発明装置の断面図である。
【図４】図４は機械的駆動装置を有した本発明装置の別実施例を示す。
【国際公開パンフレット】
2005503587.tif 000003
2005503587.tif 000004
2005503587.tif 000005
2005503587.tif 000006
2005503587.tif 000007
2005503587.tif 000008
2005503587.tif 000009
2005503587.tif 000010
2005503587.tif 000011
2005503587.tif 000012
【国際調査報告】
2005503587.tif 000013
2005503587.tif 000014
2005503587.tif 000015